(57)【要約】【課題】  特別のハードウエアが不要でバーコードを読取る方式よりもさらに便利に番組予約を行ないえる方法を提供する。【解決手段】  テレビ番組の録画予約に必要な情報を表した情報をコード化した２次元コードを掲載した印刷物を画像読取り機能、２次元コード復号機能および赤外線通信機能を具備した携帯端末で読み取り、この携帯端末で復号した番組録画予約コードを、ビデオ録画装置に赤外線通信することによってテレビ番組の予約録画を行なうことにより課題を解決する。【選択図】      図１
2005176242.tif 000002
【特許請求の範囲】
【請求項１】
テレビ番組の録画予約に必要な情報を表した情報をコード化した２次元コードを掲載した印刷物を画像読取り機能、２次元コード復号機能および赤外線送出機能を具備した携帯端末で読み取り、この携帯端末で復号した番組録画予約コードを、ビデオ録画装置に赤外線信号で送出することによってテレビ番組の予約録画を行なう方法。
【請求項２】
テレビ番組の録画予約に必要な情報および当該テレビ番組に関係する情報の参照先を表した情報をコード化した２次元コードを印刷した紙媒体を、画像読取り機能、２次元コード復号機能および赤外線送出機能および情報の参照先にアクセスして情報を取り出し表示する機能を具備した携帯端末で読み取り、この携帯端末で復号した当該テレビ番組に関係する情報の参照先を表示して、利用者にテレビ番組の関連情報を取得可能な状態としつつ、同時に復号した番組録画予約コードを、ビデオ録画装置に赤外線信号で送出することによってテレビ番組の予約録画を行なう方法。
【請求項３】
請求項１または請求項２に記載のテレビ番組の予約録画を行なう方法において、２次元コード復号機能により復号した情報がテレビ番組の録画予約に必要な情報を表した情報かどうかを判別する手段を備えた携帯端末を用いることを特徴とするテレビ番組予約録画方法。
【請求項４】
請求項３に記載のテレビ番組の予約録画を行なう方法において、先頭に番組情報コード識別子を含めた情報を符号化した２次元コードを掲載した印刷物を用いることにより、復号した情報の先頭が番組情報コード識別子を表しているかどうかによって、復号した情報がテレビ番組の録画予約に必要な情報を表した情報であるかどうかを判別することを特徴とするテレビ番組予約録画方法。
【請求項５】
請求項２に記載のテレビ番組の予約録画を行なう方法において、当該テレビ番組に関係する情報の参照先を表した情報としてＵＲＬまたは電子メールアドレスを用いることを特徴とするテレビ番組予約録画方法。
【請求項６】
画像読取り手段、２次元コード復号手段、赤外線送出手段および前記２次元コード復号手段により復号した情報がテレビ番組の録画予約に必要な情報を表した情報かどうかを判別する手段を備えた携帯端末。
【請求項７】
請求項６に記載の携帯端末であって、復号した情報の中に番組情報コード識別子を表した文字列が含まれているかどうかによって、復号した情報がテレビ番組の録画予約に必要な情報を表した情報であるかどうかを判別することを特徴とする携帯端末。
【請求項８】
テレビ番組の録画予約に必要な情報および当該テレビ番組に関係する情報の参照先を表した情報をコード化した２次元コードを印刷した印刷物。
【請求項９】
テレビ番組の録画予約に必要な情報および当該テレビ番組に関係する情報の参照先をＵＲＬで表した情報をコード化した２次元コードを印刷した印刷物。
【請求項１０】
請求項６に記載の携帯端末であって、復号した情報がテレビ番組の録画予約に必要な情報を表した情報であると判別した場合には、前記携帯端末が具備する記憶装置に前記復号した情報を１件の番組予約情報として記憶する手段と、利用者の操作により前記記憶装置に記録されているすべての番組予約情報を読み出してビデオ録画装置に向けて赤外線送出することにより一括録画予約を行なう手段を備えたことを特徴とする携帯端末。
【発明の詳細な説明】
【技術分野】
【０００１】
本発明は、テレビ放送番組の録画予約方法に関する。
【背景技術】
【０００２】
テレビ番組の録画予約を行なうには、通常、ビデオ録画装置にマニュアルで、録画チャンネル、日付、録画開始時刻、録画終了時刻、録画モードを設定して録画予約する方法、新聞のテレビ番組欄に表示されているＧコードをビデオ録画装置にマニュアル設定して録画予約する方法などがある。Ｇコード予約は、番組予定表の突然の変更に対応していないため、融通がとれず不便な場合がある。
【０００３】
ビデオ録画装置にマニュアル設定する場合、ビデオ録画装置の操作パネルまたはリモコン装置の操作面のボタンやダイヤルを正確に誤りなく操作しなければならない困難さがあった。このような困難さを解消する目的で特許文献１に記載の発明（ビデオテープレコーダの予約装置）がなされている。この発明に係るビデオテープレコーダの予約装置は、放送番組のチャンネル、日付、開始終了時刻が一括又は分割して表されたバーコードが印刷された記録体を光学的に読み取り、バーコード信号を予約信号に変換し、リモコンコード信号に変換して赤外線で発信する。
【特許文献１】特公平６−７１２０９号公報
【０００４】
ＢＳデジタル放送サービスがはじまり、本年１２月より地上波デジタル放送も開始され、ＥＰＧサービスが提供されているが、紙メディアにおける番組ガイド誌は、表現の自由度や掲載情報の豊富さからいまだに根強いニーズがある。
【発明の開示】
【発明が解決しようとする課題】
【０００５】
マニュアル設定でテレビ番組の録画予約を行なうのは、必要な情報をすべて誤りなく入力しなければならないためかなり神経を使う煩わしい作業である。特許文献１に記載の発明は、予約録画設定のための操作をバーコードの読み取り操作に置き換えるので、録画予約設定操作の煩わしさを解消する一定の効果は認められる。しかしながら、バーコード読取り部およびバーコードデコーダを備えた専用のリモコン装置が必要となるため、装置コストがかかるという難点がある。また、バーコードでは収容可能な情報量が限られるため、予約録画に必要な情報以外の当該番組に関する情報は記録できないという不便さがある。
【０００６】
そこで本発明では、特別のハードウエアが不要でバーコードを読取る方式よりもさらに便利に番組予約を行ないえる方法を提供することを課題とする。
【課題を解決するための手段】
【０００７】
課題を解決する第１の発明は、テレビ番組の予約録画を行なう方法であって、その第１の態様は、テレビ番組の録画予約に必要な情報を表した情報をコード化した２次元コードを掲載した印刷物を画像読取り機能、２次元コード復号機能および赤外線送出機能を具備した携帯端末で読み取り、この携帯端末で復号した番組録画予約コードを、ビデオ録画装置に赤外線信号に変調し送出することによってテレビ番組の予約録画を行なうことを要旨とする。
【０００８】
近年携帯電話をはじめとする携帯端末は広く普及しており、デジタルカメラ機能、２次元コード復号機能および赤外線送出機能を具備した携帯電話端末も容易に入手できる。従って、この方法によれば、特別のハードウエアを要せずに、わずらわしい操作を２次元コード読み取りに置き換えてテレビ番組の録画予約を行なうことが可能となる。
【０００９】
第１の発明の第２の態様は、テレビ番組の録画予約に必要な情報および当該テレビ番組に関係する情報の参照先を表した情報をコード化した２次元コードを印刷した紙媒体を、画像読取り機能、２次元コード復号機能および赤外線送出機能および情報の参照先にアクセスして情報を取り出し表示する機能を具備した携帯端末で読み取り、この携帯端末で復号した当該テレビ番組に関係する情報の参照先を表示して、利用者にテレビ番組の関連情報を取得可能な状態としつつ、復号した番組録画予約コードを、ビデオ録画装置に赤外線信号に変調し送出することによってテレビ番組の予約録画を行なう方法である。
【００１０】
近年携帯電話をはじめとする携帯端末は広く普及しており、インターネット接続機能、デジタルカメラ機能、２次元コード復号機能および赤外線送出機能を具備した携帯電話端末も容易に入手できる。また、２次元コードは、縦横の画素サイズと冗長度のとり方に依存するが、数字のみ十数桁程度の情報しか収容できないバーコードに比べればはるかに大量の情報を符号化可能である。従って、バーコードと同等の面積においても、テレビ番組の録画予約に必要な情報の他に当該テレビ番組に関係する情報の参照先を表した情報を含めて符号化することが可能である。よってこの方法によれば、録画予約を行なう前に、当該テレビ番組に関連する情報を参照して番組内容を確認することができるので、特許文献１に記載の装置よりもさらに便利な予約録画機能を提供できる。参照先を表した情報としては、参照先のＵＲＬ（Universal Resource Locator）や、電子メールによる情報配信サービスへの登録用電子メールアドレスを用いてもよい。
【００１１】
第１の発明の第３の態様は、前記第１の態様または第２の態様に係るテレビ番組の予約録画を行なう方法において、２次元コード復号機能により復号した情報がテレビ番組の録画予約に必要な情報を表した情報かどうかを判別する手段を備えた携帯端末を用いることを特徴とするテレビ番組予約録画方法である。
【００１２】
２次元コード復号機能により復号した情報がテレビ番組の録画予約に必要な情報を表した情報かどうかを判別する手段を備えることにより、無駄な操作や誤動作を事前に防ぐことができる。
【００１３】
第１の発明の第４の態様は、前記３の態様に係るテレビ番組の予約録画を行なう方法において、先頭に番組情報コード識別子を含めた情報を符号化した２次元コードを掲載した印刷物を用いることにより、復号した情報の先頭が番組情報コード識別子を表しているかどうかによって、復号した情報がテレビ番組の録画予約に必要な情報を表した情報であるかどうかを判別することを特徴とするテレビ番組予約録画方法である。
【００１４】
課題を解決する第２の発明は、画像読取り手段、２次元コード復号手段、赤外線送出手段および前記２次元コード復号手段により復号した情報がテレビ番組の録画予約に必要な情報を表した情報かどうかを判別する手段を備えた携帯端末である。このような携帯端末を利用して、テレビ番組の録画予約に必要な情報を符号化した２次元コードを読取ることにより容易に録画予約操作を行なうことが可能となる。
【００１５】
第２の発明に係る携帯端末は、復号した情報の中に番組情報コード識別子を表した文字列が含まれているかどうかによって、復号した情報がテレビ番組の録画予約に必要な情報を表した情報であるかどうかを判別するものであってもよい。例えば、復号して得られたテキストデータの先頭が番組情報コード識別子を表しているかどうかで判別するものであってもよい。
【００１６】
第２の発明に係る携帯端末のより好ましい態様は、復号した情報がテレビ番組の録画予約に必要な情報を表した情報であると判別した場合には、前記携帯端末が具備する記憶装置に前記復号した情報を１件の番組予約情報として記憶する手段と、利用者の操作により前記記憶装置に記録されているすべての番組予約情報を読み出してビデオ録画装置に向けて赤外線送出することにより一括録画予約を行なう手段を備えたものである。このような携帯端末であれば、複数のテレビ番組の２次元コードの読取りと復号、復号結果の記憶をまとめて行い、赤外線送出を１回の操作で済ますことができる。
【００１７】
課題を解決する第３の発明は、テレビ番組の録画予約に必要な情報および当該テレビ番組に関係する情報の参照先を表した情報をコード化した２次元コードを掲載した印刷物である。当該テレビ番組に関係する情報の参照先としてはＵＲＬや電子メールアドレスを用いてもよい。
【発明の効果】
【００１８】
第１の発明にかかるテレビ番組の予約録画方法によれば、テレビ番組の予約録画設定に必要なわずらわしい操作を２次元コードの読取り操作に置き換えるので、録画設定を間違えることなく容易に設定できるという顕著な効果を奏する。また、使用する２次元コードには、番組に関連する情報の参照先情報を含ませることも可能なので、バーコードを読取って録画予約を行なう装置と比べてもより便利な機能を提供できるという効果を奏する。
【００１９】
第２の発明に係る携帯端末は、第３の発明に係る印刷物を読取ることによりこのような便利な録画予約方法を可能とする顕著な効果を奏する。第３の発明に係る印刷物は、第２の発明に係る携帯端末を利用することにより第１の発明に係る録画予約方法を可能とする顕著な効果を奏する。
【発明を実施するための最良の形態】
【００２０】
本発明の方法の一実施形態を図面を用いて説明する。図１は、本発明の方法の概要を表した全体図である。４はテレビ番組ガイド誌などの印刷物である。個々の番組の紹介記事の脇に２次元コード４１が印刷されている。４１の２次元コードは、ここでは、ＱＲコード（登録商標）であるとして説明する。ＱＲコード仕様は、例えば、NTTDoCoMo（登録商標）が定める「iアプリコンテンツ開発ガイド」に記載された内容に従うものとする。
【００２１】
５は携帯電話である。携帯電話５は、携帯電話機として基本的な携帯電話機能、電子メール送受信機能のほかに、デジタルカメラ機能、インターネット接続機能、赤外線送出機能を備えており、その上に、２次元コード復号手段５１、録画予約提供手段５２を備える。２次元コード復号手段５１は、デジタルカメラ機能により２次元コードを読取った画像データから元のテキスト情報を復号処理するプログラムである。録画予約提供手段５２は、携帯電話５が有する録画予約モードをコントロールするメインプログラムである。
【００２２】
６はビデオ録画装置である。予約録画情報を一定のフォーマットの赤外線信号により受けて、必要な設定を行い、その録画設定に従って録画動作を実行する。ＶＨＳ（登録商標）ビデオテープに録画する装置、内蔵ハードディスクまたはＤＶＤ（登録商標）ディスクにデジタルデータとして録画する装置のいずれでもよい。
【００２３】
携帯電話所有者は、印刷物４を閲覧し、番組紹介記事等から予約すべき番組を選択し、紹介記事とともに印刷されている２次元コード４１を携帯電話５でカメラ撮影する。
【００２４】
図２は、２次元コード４１に収容される情報の一例を詳しく説明する図である。（１）番組情報のコード識別子、（２）チャンネル情報、（３）日付、（４）番組名、（５）番組ＵＲＬ、（６）放送開始時刻、（７）放送終了時刻、（８）付随情報、（９）ＣＭ情報、の９種類のテキスト情報を２次元コードに符号化して使用する。図２下部の囲みの中に上記９種類のテキスト情報の例を示す。上記１０種類の情報のうち、（５）（８）（９）の項目は任意項目であって、省略も可能としている。
【００２５】
図３は、携帯電話５の動作フローを説明する流れ図である。図４から図６は携帯電話５の液晶ディスプレイに表示される対話画面の説明図である。次に、図３から図６にしたがって携帯電話５の録画予約モードの動作を説明する。
【００２６】
利用者は、テレビ番組録画予約モードを選択すると、まず、録画予約する番組として既に携帯電話の所定のメモリ領域に記録されている録画予定番組リストの内容を読取り、ディスプレイに録画予定番組リストを、図４の画面１００のように表示する（Ｓ１０）。録画予定番組リストは、２次元コードから復号した番組録画予約に必要な文字データを１件の番組情報として、後で１件の番組情報ごとに読み出せるように記録している携帯電話５内蔵のメモリまたは外付けメモリカード上の一定の記憶領域に記録されたデータのことである。画面１００は番組録画予定リスト表示画面である。画面１００には、機器設定ボタン１０１とバーコード撮影ボタン１０２が表示されている。
【００２７】
機器設定ボタン１０１が選択されると画面１２０に切り替わり、ビデオ録画機器の製造メーカー、型番、録画モードを設定できるようになる（Ｓ１４）。この設定により操作対象となる機器の仕様に従った信号フォーマットが選択される。
【００２８】
バーコード撮影ボタン１０２が選択されると、図４の画面１１０のような撮影確認メッセージを表示した後、カメラ機能を呼出し一旦録画予約モードを離れてカメラ撮影モードとなる（Ｓ１６）。デジタルカメラ機能により画像を取り込むと、携帯電話５に備えられている２次元コード復号手段５１が呼び出される。２次元コード復号手段５１は、まず、取り込んだ画像が２次元コードかどうかを検査し、２次元コードでなければ、その旨を図５の画面２１０のように表示する。利用者が再撮影を選択した場合は、撮影ステップ（Ｓ１６）に戻る（Ｓ１８）。
【００２９】
つぎに、撮影画像が２次元コード画像であった場合は、２次元コード復号手段５１は、デコードしたテキストデータを録画予約提供手段５２に返す。この結果録画予約モードに戻る。このテキストデータを受けて録画予約提供手段５２は、冒頭にＴＶ識別子があるかどうか検査する（Ｓ２０）。番組予約のための２次元コードと認められない場合は、その旨を図５の画面２２０のように表示した後、再撮影するか、中止するかの選択を促すダイアログボックスを表示する。ＴＶ識別子と認められる文字列で始まっているテキストデータであれば、読取った２次元コードは番組予約のための情報を記した２次元コードと判断して、復号したテキストデータを図５の画面２３０のように表示する（Ｓ２２）。利用者は、ここで入力するコードを間違えてないことを確認し、登録ボタンを選択すると、読取った内容は、録画予定番組リストに追記される。画面２３０で戻るボタンを押すと、デコードしたテキスト情報を破棄してステップＳ１６に戻り、撮影モードの最初の状態に戻る（Ｓ２４）。
【００３０】
画面２３０で登録ボタンが選択されると、デコードしたテキスト情報は録画予定番組リストに追記される（Ｓ２６）。図６の画面３００は、画面２３０で登録ボタンが選択された場合に表示される録画予定番組リスト表示画面である。最も新しく追加された番組情報が選択された状態で表示される。番組の選択状態は、携帯電話５の上下カーソルの操作により変えることができる。画面３００で詳細ボタン３０２を選択すると、そのときに選択状態となっているリスト登録番組の詳細情報が画面３１０のように表示される（Ｓ３０）。
【００３１】
画面３１０から番組ＨＰやＣＭ情報にアクセスすることもできる。すなわち、２次元コード４１は、同面積のバーコードにくらべてはるかに多くの情報を符号化できる。したがって、録画予約に不可欠な情報以外に、テレビ局などが用意した番組のホームページのＵＲＬや、番組スポンサーが設置した商品等の紹介ホームページへのＵＲＬを符号化しておき、復号されたそれらの情報に基づいたハイパーリンクを提供するように携帯電話５の液晶画面に表示される対話画面インターフェースを構成することができる。
【００３２】
画面３００で、撮影ボタン３０３を選択すれば、他の２次元コードの撮影を繰り返すことができる（Ｓ２８）。また転送ボタン３０１を選択すれば、録画予約提供手段５２は、赤外線送出機能を呼び出し、選択されている番組の番組リストに記録されている録画予約に必要な情報を設定されているビデオ機器の仕様に従ったフォーマットで変調して発信する（Ｓ３２）。赤外線送出が正常に終了しない場合は、その旨をモニタに表示して画面３００の表示状態に戻る。正常に転送が終了した場合は、その旨をモニタに表示して画面３００の表示状態に戻る。
【００３３】
録画予定番組リストに記録された番組の予約を一括してまとめて転送することも可能である。ステップＳ３２で、録画予定番組リストから選択されている番組情報１件を赤外線送出した後すぐステップＳ２７に戻るのではなく、ステップＳ３２において、録画予定番組リストに記録されている番組情報をすべて一括して赤外線送出するようにプログラムすればよい。
【００３４】
以上、録画予約提供手段５２の動作を説明した。録画予約提供手段５２は携帯電話５に搭載するアプリケーションプログラムとして実現することが可能である。
【図面の簡単な説明】
【００３５】
【図１】本発明の実施形態に係る携帯端末を利用した録画予約方法の全体概要図である。
【図２】２次元コード４１に収容される情報を詳しく説明する図である。
【図３】携帯電話５の動作フローを説明する流れ図である。
【図４】携帯電話５の表示画面の説明図である。
【図５】携帯電話５の表示画面の説明図である。
【図６】携帯電話５の表示画面の説明図である。
【符号の説明】
【００３６】
４    印刷物
５    携帯端末
６    ビデオ録画装置
４１  ２次元コード
５１  ２次元コード復号手段
５２  録画予約提供手段
【図１】
2005176242.tif 000003
【図２】
2005176242.tif 000004
【図３】
2005176242.tif 000005
【図４】
2005176242.tif 000006
【図５】
2005176242.tif 000007
【図６】
2005176242.tif 000008